(57)【要約】【課題】病人をベッド上に仰臥させたままで洗髪し、洗髪廃水を市販の廉価なプラスチック容器16を利用して安全確実に受水すると共に容器を交換可能又は廃棄することによってタンクの洗浄作業を消除し、衛生的な洗髪作業を効率的に行なえる洗髪装置を提供する。【解決手段】ヒーター7を内蔵する給水タンク6が、吸・送水ポンプＰと複数の切換電磁弁を介してハンドシャワー34に接続されてた温水給水装置ＴＡが移動架台の上部2に固設され、廃水受水装置ＴＢが、架台の下部空室5内に出し入れ可能なコロ付スライドベース12上に、一端を枢着13された廃水ポリ容器16を載置するトレイ14と、ポリ容器検知手段18と、トレイの荷重検知装置20によって構成される。【選択図】  図２
0003129418.tif 000002
【実用新案登録請求の範囲】
【請求項１】
ヒーターを内蔵する給水タンクが、吸・送水ポンプと複数の切換電磁弁を介してハンドシャワーに接続されて移動架台の上部に固設された温水給水装置と、前記架台の下部空室底枠にスライドするコロ付スライドベースと、該スライドベースに一端が枢着されてシャワー廃水を受容するポリ容器を載置するトレイと、前記ポリ容器の定置を検知する手段が前記架台に設けられると共に前記トレイの荷重検知装置が前記スライドベースに固設されて構成される廃水受水装置とからなる介護用の洗髪装置。
【請求項２】
ポリ容器の定置を検知する手段がスライドベースに固設されてなる請求項１記載の洗髪装置。
【請求項３】
給水タンクが１回洗浄用水量を貯水する容量であり、ポリ容器が前記１回洗浄用水量以上の容積を有する容器である請求項１又は２記載の洗髪装置。
【考案の詳細な説明】
【技術分野】
【０００１】
この考案は、病院や介護施設で安全に使用できる介護用の洗髪装置に関する。
【背景技術】
【０００２】
介護用の洗髪装置として、シャワー洗面台と給水タンク及び廃水タンクを共通の移動架台に固定した洗髪装置は文献１に提案されており、また洗面台と廃水タンクを給水タンク架台に対して移動可能にした洗髪装置も文献２によって知られている。
【０００３】
これらの装置では被介護者が洗面台まで移動しなければならない不便がある他、装置全体の重量が大きくなって高価であり、移動や操作も不便である。  更に、廃水タンクが専用であってタンク内部の洗浄が充分に行えず、不衛生になり易い欠点があった。
【０００４】
【特許文献１】特開２００１−８７０３１号公報
【特許文献２】特開２００１−１３３０４３号公報
【考案の開示】
【考案が解決しようとする課題】
【０００５】
本案は、寝たきりの病人にも適用できるもので、エアポンプによって膨張形成される洗髪ブース（市販品）を使用して、病人をベッドに仰臥させたままで洗髪し、この廃水を市販の廉価なプラスチック容器を利用して安全確実に受水すると共に簡単な操作で容器を交換することによって洗髪作業を効率的に行なえる装置を提供するものである。
【課題を解決するための手段】
【０００６】
本案洗髪装置は、通常、1回の洗髪用水が２５L以下であることに鑑み、この用水量を常時所定温度に維持する温水給水装置と、これと同量以上の空容積を有するプラスチック容器（ポリタンクやポリ容器など）を交換可能にセットして使用する廃水受水装置からなるもので、ポリ容器は数回の使用後に廃棄して非効率な洗浄作業を消除するものである。
温水給水装置は、ヒータを内蔵する給水タンクが、吸・送水ポンプと複数の切換電磁弁を介してハンドシャワーに接続されて移動架台の上部に固設された温水給水タンクとから構成され、廃水受水装置は、前記架台の下部空室底枠にスライドするコロ付スライドベースと、該ベースに一端が枢着されてシャワー廃水を受容するポリ容器を載置するトレイを備え、前記ポリ容器の定置を検知する手段が前記架台に設けられると共に前記トレイの荷重検知装置が前記ベースに固設されて構成される。    ポリ容器の定置を検知する手段は、荷重検知手段と共にスライドベースに設けてもよい。    給水タンクは１回洗浄用水量を貯水するもので、廃水ポリ容器は１回洗浄用水量以上の容積を有する容器である。レイいれるるにいうを髪装置は文献１によって
【考案の効果】
【０００７】
本案装置は、温水給水タンクの容量と廃水容器の容量が１回洗髪容量であり、しかも廃水容器が温水給水タンクの容量と同一又はそれ以上であるから、正常な作業では廃水のオーバーフローは起こり得ないが、多忙な作業現場において例えば、受水容器が装填されていなかったり、容器内に廃水が残っている場合などに警報を発し又は運転不能とすることによって病室などの環境を汚損する恐れがなく安全且つ衛生的に使用できる。    また、ポリ容器は比較的廉価であるから数回の使用で廃棄しても固定タンクの洗浄に比して経済的である。
【考案を実施するための最良の形態】
【０００８】
図において、1は移動架台、２は架台の上部、3は架台の下部、4はキャスタ付底枠、5は下部空室である。  ＴＡは温水給水装置であって、ヒータ7を内蔵し、レベルセンサ8Ａ、8Ｂ有する温水給水タンク6（内容積、25Ｌ）が、配管9によって4個の切換電磁弁Ａ，Ｂ，Ｃ、Ｄと吸水・送水ポンプＰに接続されて、タンク内の温水が35〜40℃の範囲に調節されている。10は吸込みホースの接続口、11はシャワーホースの接続口である。
各電磁弁は、ＡとＣが開状態でタンクに給水し、ＢとＤが開で送水する他、ＢとＣが開で循環する。
【０００９】
ＴＢは、架台の下部空室5内の廃水受水装置であり、底枠4に対してスライドするコロ付スライドベース12の上面に容器トレイ14の一端が枢着13されている。  12Ａは、容器の抜出しを防止する回動ストッパ。  15は、トレイの先端部に設けた容器係止部である。    16は、トレイ上に載置される市販のポリ容器（内容積、30Ｌ）であって上部に開口17を有する。  18は、下部空室内においてポリ容器が所定位置にあることを検知するリミットスイッチであり、ポリ容器の側壁に接する位置で架台の内壁19に固定されている。
【００１０】
20は、スライドベース12の先端側に固設されているトレイ14の荷重検知装置であってリミットスイッチ21を内装している。  リミットスイッチ21は、洗髪装置が起動されていて送水準備状態の場合は、トレイ上のポリ容器が空（無荷重）であれば送水可能にし、荷重（例えば、10Ｌ以上の荷重）があればリミットスイッチ21の警報接点が切換わって警報を発すると共に回路を送水不能状態にする。  リミットスイッチ21の警報接点は、送水開始後は不作動状態になる。
22は昇降する作動ロッドであってバネ圧調節用カラー23と圧縮バネ24を備えて検知ボックス25内に収容されている。  作動ロッドの下端は連結板26を介して、出没子27に連結され、該出没子はスライドベース12を貫通28してトレイの低部に常時接触している。
29は、検知ボックスの取付用端板である。    
30はベッド、31はベッド上に定置した洗髪ブースであってステップポンプによって拡張する蛇腹部32と排水ホース33を備えている。  34はハンドシャワーである。
本案装置は図２のようにセットして使用され、洗髪終了後は、スライドベース12を機外に引出してポリ容器を取出して排水するか、新たな容器に交換して次の洗髪作業に備える。
【図面の簡単な説明】
【００１１】
【図１】本案装置の全体斜視図
【図２】本案装置の全体構成図
【図３】重量検知装置の要部断面図
【符号の説明】
【００１２】
1  移動架台
2  架台の上部
3  架台の下部
4  底枠
5  下部空室
ＴＡ  温水給水装置
ＴＢ  廃水受水装置
12  スライドベース
14  容器トレイ
16  ポリ容器
18  容器の定置検知用リミットスイッチ
20  トレイ荷重検知装置
21  リミットスイッチ
22  昇降ロッド
23  バネ圧調整カラー
27  出没子
【図１】
0003129418.tif 000003
【図２】
0003129418.tif 000004
【図３】
0003129418.tif 000005